(57)【要約】【課題】本発明は取り付けパネルに形成された開口部に蓋体を取り付ける蓋体の取り付け構造及び電子装置に関し、構造の簡単化及び操作性の向上を図ることを課題とする。【解決手段】蓋体２０に、開口部１０を覆う本体部２１と、本体部２１の背面中央から突出する軸部２２と、軸部２２に側方に延出する係合部２３と、係合凹部２４とを形成する。また、リアパネル３に、前記軸部２２と係合する軸受け部１１と、蓋体（２０）が取り付け位置に位置した際に係合凹部２４と係合する係合凸部１２とを形成する。また、係合部２３の長さを、矩形状とされた開口部１０の短辺より長く設定すると共に長辺よりも短く設定する。そして、係合部２３の延出方向が開口部１０の長辺方向と一致する向きで係合部２３を開口部１０に挿入した後、軸受け部１１を中心に蓋体２０を回転させることにより、係合部２３をリアパネル３に係合させることにより、蓋体２０をリアパネル３に取り付ける。【選択図】  図５
2011002899.tif 000002
【特許請求の範囲】
【請求項１】
取り付けパネルに形成された矩形状の開口部に蓋体を取り付ける蓋体の取り付け構造であって、
前記蓋体は、前記開口部を覆う蓋体本体と、該蓋体本体の背面中央から突出する軸部と、該軸部に設けられると共に前記軸部の突出方向と直行する方向に延出する係合部と、前記取り付けパネルと対向する位置に設けられた第１の係合部とを有し、
前記取り付けパネルは、前記軸部と係合する軸受け部と、前記蓋体が取り付け位置に位置した際に前記第１の係合部と係合する第２の係合部とを有し、
前記係合部の長さを、前記矩形状の開口部の短辺より長く設定すると共に長辺よりも短く設定し、
前記係合部の延出方向が前記開口部の長辺方向と一致する向きで前記係合部を前記開口部に挿入した後、前記軸受け部を中心に前記蓋体を回転させることにより前記係合部を前記取り付けパネルに係合させる構成としたことを特徴とする蓋体の取り付け構造。
【請求項２】
前記蓋体は、前記回転に伴い前記第２の係合部を前記第１の係合部に案内する案内溝を有し、
該案内溝の幅寸法は、前記前記第２の係合部が前記溝部に進入する進入位置から前記第２の係合部が前記第１の係合部に係合する係合位置に向け漸次狭くなるよう設定したことを特徴とする請求項１記載の蓋体の取り付け構造。
【請求項３】
前記第１の係合部の形成部は、前記溝部に対して突出形成されてなる特徴とする請求項１又は２記載の蓋体の取り付け構造。
【請求項４】
前記取り付けパネルは金属板よりなる請求項１乃至３のいずれか一項に記載の蓋体の取り付け構造。
【請求項５】
筐体の一部に蓋体を取り付ける開口部分が形成された取り付けパネルを有する電子装置であって、
前記取り付けパネルに、前記請求項１乃至４のいずれか一項に記載の蓋体の取り付け構造を用いて前記蓋体を取り付けることを特徴とする電子装置。
【発明の詳細な説明】
【技術分野】
【０００１】
本発明は蓋体の取り付け構造及び電子装置に係り、特に取り付けパネルに形成された開口部に蓋体を取り付ける蓋体の取り付け構造及び電子装置に関する。
【背景技術】
【０００２】
例えば電子機器においては、通常時は使用しないがメンテナンス時或いは調整時等においてのみ使用されるコネクタ（調整コネクタという）を設けられることがある。また、電子機器のケースで、この調整用コネクタと対向する位置には、調整用コネクタに接続するプラグプラグが挿入される開口部が形成されている。
【０００３】
上記のように、調整用コネクタは上記のメンテナンス時等以外の通常時においては使用されないため、通常時には開口部に蓋体が取り付けられている。従来、この蓋体をケースに取り付ける構造としては、蓋体にネジの挿通穴を形成すると共にケースにネジ穴を形成し、挿通穴を介してネジ穴にネジを螺着することにより蓋体をケースに取り付ける構造が多用されていた。
【０００４】
また、蓋体をケースに取り付ける他の取り付け構造としては、特許文献１に示されるように、蓋体の両側縁部に軸部及び複数のリブを形成すると共に、ケースに軸部を軸承する軸受け部及びリブと係合する凹部等を形成した構造が知られている。
【先行技術文献】
【特許文献】
【０００５】
【特許文献１】特開２００５−０７８８７２号公報
【発明の概要】
【発明が解決しようとする課題】
【０００６】
しかしながら、ネジを用いて蓋体をケースに取り付ける構造では、蓋体及びケースとは別個にネジが必要となり部品点数が増えてしまう。また、蓋体をケースに取り付ける作業時にドライバー等の治具が必要となり、作業性が悪いという問題点があった。
【０００７】
また、蓋体に軸部及リブを形成すると共に、ケース軸受け部及び凹部等を形成する構造では、蓋体及びケースの形状が複雑となる。このため、蓋体及びケースの作成が面倒であると共に組み立てが面倒であるという問題点があった。特に、ケースが金属板金である場合には、この問題は特に大となる。
【０００８】
本発明は上記の点に鑑みてなされたものであり、簡単な構造でかつ操作性の良好な蓋体の取り付け構造及び電子装置を提供することを目的とする。
【課題を解決するための手段】
【０００９】
上記の課題は、第１の観点からは、
取り付けパネル（３）に形成された矩形状の開口部（１０）に蓋体（２０）を取り付ける蓋体の取り付け構造であって、
前記蓋体（２０）は、前記開口部（１０）を覆う蓋体本体（２１）と、該蓋体本体（２１）の背面中央から突出する軸部（２２）と、該軸部（２２）に設けられると共に前記軸部（２２）の突出方向と直行する方向に延出する係合部（２３）と、前記取り付けパネル（３）と対向する位置に設けられた第１の係合部（２４）とを有し、
前記取り付けパネル（３）は、前記軸部（２２）と係合する軸受け部（１１）と、前記蓋体（２０）が取り付け位置に位置した際に前記第１の係合部（２４）と係合する第２の係合部（１２）とを有し、
前記係合部（２３）の長さを、矩形状の前記開口部（１０）の短辺より長く設定すると共に長辺よりも短く設定し、
前記係合部（２３）の延出方向が前記開口部（１０）の長辺方向と一致する向きで前記係合部（２３）を前記開口部（１０）に挿入した後、前記軸受け部（１１）を中心に前記蓋体（２０）を回転させることにより前記係合部（２３）を前記取り付けパネル（３）に係合させる構成としたことを特徴とするにより解決することができる。
【００１０】
尚、上記参照符号は、あくまでも参考であり、これによって、特許請求の範囲の記載が限定されるものではない。
【発明の効果】
【００１１】
開示の蓋体の取り付け構造は、構造の簡単化を図ることができると共に、簡単な操作で蓋体を取り付けパネルに取り付けることができる。
【図面の簡単な説明】
【００１２】
【図１】図１は本発明の一実施形態である蓋体の取り付け構造及び電子装置を説明するための図であり、（Ａ）は電子装置の斜視図、（Ｂ）はケース２の斜視図である。
【図２】図２は蓋体を説明するための図であり、（Ａ）は背面を示す斜視図、（Ｂ）は正面を示す斜視図である。
【図３】図３は蓋体を説明するための図であり、（Ａ）は平面図、（Ｂ）は正面図、（Ｃ）は底面図、（Ｄ）は背面図、（Ｅ）は左側面図、（Ｆ）は右側面図である。
【図４】図４は蓋体を開口部に挿入した状態を示す図であり、（Ａ）は電子装置のリアパネルの表面を示す図、（Ｂ）は電子装置のリアパネルの背面を示す図である。
【図５】図５は蓋体を開口部に取り付けた状態を示す図であり、（Ａ）は電子装置のリアパネルの表面を示す図、（Ｂ）は電子装置のリアパネルの背面を示す図である。
【図６】図６は電子装置１をスタンドに装着する第１の装着態様を示しており、（Ａ）は正面図、（Ｂ）は右側面図である。
【図７】図７は電子装置をスタンドに装着する第２の装着態様を示しており、（Ａ）は正面図、（Ｂ）は右側面図である。
【図８】図８はスタンドを示しており、（Ａ）はスタンドの上面を示す斜視図であり、（Ｂ）はスタンドの下面を示す斜視図である。
【図９】図９は、スタンドを拡大して示す正面図である。
【図１０】図１０は電子装置のスタンドへの装着位置を拡大して示す図であり、（Ａ）は第１の装着態様を示しており、（Ｂ）は第２の装着態様を示している。
【図１１】図１１は電子装置１をスタンドに装着する第３の装着態様を示しており、（Ａ）は正面図、（Ｂ）は右側面図である。
【図１２】図１２は電子装置１をスタンドに装着する第４の装着態様を示しており、（Ａ）は正面図、（Ｂ）は右側面図である。
【発明を実施するための形態】
【００１３】
次に、本発明の実施の形態について図面と共に説明する。
【００１４】
図１は本発明の一実施形態である蓋体の取り付け構造及び電子装置を説明するための図である。電子装置１は、図１（Ａ）に示すようにケース２と底板９とにより構成されている。ケース２は樹脂成形品であり、リアパネル３，右側面４，左側面５，背面６，及び上面７を有すると共に下面は開口された構成とされている。底板９は金属板金を成形したものであり、ケース２の下部開口部分に取り付けられる。
【００１５】
リアパネル３は、蓋体２０が取り付けられる取り付けパネルとなるものである。このリアパネル３は、図１（Ｂ）に示すように、スイッチ等が配設される穴と共に蓋体２０が取り付けられる開口部１０が形成されている。この開口部１０は、通常時は使用しないが調整時等において使用される調整コネクタ（図示せず）と対向する位置に形成されている。
【００１６】
開口部１０は、図１（Ｃ）に拡大して示すように矩形状を有している。具体的には、開口部１０は図中矢印Ｘ１，Ｘ２方向を長辺とすると共に、矢印Ｙ１，Ｙ２方向を短辺とする長方形状とされている。
【００１７】
また、開口部１０の長手方向の中央位置には、湾曲状に窪んだ軸受け部１１が形成されている。更に、開口部１０の外周位置で、一の対角線上の位置には、係合凸部１２（請求項に記載の第２の係合部に相当する）が形成されている。この係合凸部１２は、リアパネル３から外側に向け突出するよう形成されている。
【００１８】
上記の開口部１０には、蓋体２０が取り付けられる。この蓋体２０は、調整コネクタと対向する位置に形成された開口部１０を覆うことにより、異物が開口部１０を介して調整用コネクタに誤挿入されたり、開口部１０を介してケース２内に塵埃が進入したりするのを防止する機能を奏する。しかしながら、調整時等においては、蓋体２０は容易にリアパネル３（ケース２）に装着脱されることが望ましい。
【００１９】
次に、図２及び図３を参照して蓋体２０の構造について説明目する。図２は蓋体２０の斜視図であり、図３は蓋体２０の六面図である。
【００２０】
蓋体２０は、本体部２１、軸部２２、係合部２３、及び係合凹部２４等が一体的に形成された構成とされている。本体部２１は矩形状を有しており、その大きさはケース２に取り付けられた状態で開口部１０を覆いこれを塞ぐことができる大きさとされている。本体部２１の表面２１ａはデザイン的な面からスリットが多数形成されている。
【００２１】
また、本体部２１の裏面２１ｂには、軸部２２、係合部２３、及び係合凹部２４が形成されている。軸部２２は、本体部２１の裏面２１ｂの中央位置に突出するよう形成されている。この軸部２２の形成位置は、開口部１０に形成された軸受け部１１と対応するよう設定されている。また、軸部２２の直径Ｄ１は、軸受け部１１の直径Ｄ２と等しいか、それより若干小さく設定されている（Ｄ１≦Ｄ２）
係合部２３は、軸部２２に鍔状に２個形成されている。２個の係合部２３は、軸部２２の突出方向と直行する方向、即ち裏面２１ｂと平行となる方向に延出するよう形成されている。また２個の係合部２３は、軸部２２を挟んで対向するよう（１８０°離間して）形成されている。
【００２２】
この一対の係合部２３の長さ（図中、矢印Ｈ１で示す）は、前記開口部１０の長辺の長さ（図１（Ｃ）に矢印ｘで示す）よりも短く、かつ開口部１０の短辺の長さ（図１（Ｃ）に矢印ｙで示す）よりも長くなるよう設定されている（ｘ≧Ｈ１，y≦Ｈ１）。また、係合部２３の幅寸法（図中、矢印Ｈ２で示す）は、開口部１０の短辺の長さ（図１（Ｃ）に矢印ｙで示す）よりも短く設定されている。更に、係合部２３と裏面２１ｂとの離間距離（図２（Ａ）に矢印ΔＷで示す）は、リアパネル３の厚さと同じか、若干小さく設定されている。
【００２３】
係合凹部２４（請求項に記載の第１の係合部に相当する）は、本体部２１の裏面２１ｂであって、即ち装着時にリアパネル３と対向する位置であって、裏面２１ｂの一の対角線上の位置に形成されている。この一対の係合凹部２４の形成位置は、リアパネル３に形成された係合凸部１２の形成位置と対応するよう形成されている。
【００２４】
また、裏面２１ｂには案内溝２５が形成されている。この案内溝２５は、後述するようにリアパネル３に取り付けるために蓋体２０を回転させた際、リアパネル３に形成された係合凸部１２の相対的な移動を案内する機能を奏する。
【００２５】
この案内溝２５の幅寸法は、蓋体２０の回転に伴い係合凸部１２が進入する進入位置における幅寸法をＬ１とし、係合凹部２４の形成位置（係合位置という）における幅寸法をＬ２とした場合、Ｌ１はＬ２よりも大きく（Ｌ１＞Ｌ２）、かつ進入位置から前記係合位置に向け漸次狭くなるよう設定されている。
【００２６】
また、前記した係合凹部２４が形成された突出部２６は、案内溝２５の底面に対して突出形成されており、かつ突出部２６と案内溝２５の底面との間には傾斜面２７が形成されている。よって、蓋体２０の回転に伴い相対的に係合凸部１２が案内溝２５内を進行した場合、この傾斜面２７を上って突出部２６に至り、その上で係合凹部２４に係合する。
【００２７】
次に、上記した開口部１０と蓋体２０とを有する蓋体２０の取り付け構造において、蓋体２０をリアパネル３に取り付ける操作について説明する。
【００２８】
蓋体２０をリアパネル３に取り付けるには、先ず係合部２３の延出方向が開口部１０の長辺方向（Ｘ１，Ｘ２方向）と一致する向きとし、蓋体２０の軸部２２と開口部１０の軸受け部１１とを位置決めした上で、係合部２３を開口部１０に挿入する（この状態を挿入状態という）。
【００２９】
図４は、係合部２３を開口部１０に挿入した状態を示している。前記のように、係合部２３の長さＨ１は開口部１０の長辺の長さｘよりも小さく、係合部２３の幅Ｈ２は開口部１０の短辺の長さｙよりも短いため、容易に係合部２３を係合部２３内に挿入することができる。図４は、係合部２３が開口部１０内に挿入された状態を示している。
【００３０】
次に、蓋体２０をリアパネル３に対して矢印Ａ１方向に９０°回転させる。蓋体２０の軸部２２は開口部１０の軸受け部１１に軸承されている。このため、蓋体２０がＡ１方向に回転されることにより、軸部２２は軸受け部１１内でＡ１方向に回転する。
【００３１】
前記のように係合部２３の長さＨ１は、開口部１０の短辺の長さｙよりも長い。このため、蓋体２０がリアパネル３に対して９０°回転することにより、係合部２３はリアパネル３と係合する。
【００３２】
また、蓋体２０がリアパネル３に対して回転することにより、リアパネル３に形成された係合凸部１２は蓋体２０に形成された案内溝２５内に進入し、この案内溝２５に案内されて図２（Ａ）に矢印Ｅで示す方向に進行する。そして、蓋体２０が９０°回転した時点で、係合凸部１２は係合凹部２４に係合する。これにより、蓋体２０はリアパネル３に取り付けられた状態となる。図５は、蓋体２０がリアパネル３に取り付けられた状態（この状態を取り付け状態という）を示している。
【００３３】
前記のように、係合部２３と裏面２１ｂとの離間距離ΔＷは、リアパネル３の厚さと等しいかそれよりも若干小さく設定されている。このため、係合部２３のリアパネル３に対する係合力は強く、よって蓋体２０とリアパネル３との間にガタツキが発生するようなことはなく、蓋体２０がリアパネル３から離脱することを防止できる。
【００３４】
また、蓋体２０の回転に伴い係合凸部１２は、漸次狭くなるよう形成された案内溝２５内をＥ方向に相対的に移動するが、特に蓋体２０の回転角度が９０°に近くなった際、係合凸部１２は傾斜面２７を乗り越えて突出部２６に形成された係合凹部２４と係合する。このため、係合凸部１２と係合凹部２４との係合力は強く、よって取り付け状態において蓋体２０を確実にリアパネル３に取り付けることができる。
【００３５】
このように、本実施形態に係る取り付け構造を用いて蓋体２０をリアパネル３に取り付けることにより、係合部２３を開口部１０に挿入した後に蓋体２０を回転させるだけの簡単な操作で、蓋体２０をリアパネル３に取り付けることができる。また、リアパネル３（ケース２）と蓋体２０の以外に取り付け部品を必要とすることはなく、従来のネジを用いた取り付け構造に比べ、部品点数の削減を図ることができる。更にリアパネル３においては、単に軸受け部１１を有する開口部１０を形成すれるだけでよいため、取り付け構造の簡単化を図ることができる。
【００３６】
図６は、上記した電子装置１をスタンド３０に装着した状態を示している。
【００３７】
スタンド３０は、テーブル等の基台上に水平に設置することも可能であるが、設置スペースの省スペース化を図るため、電子装置１をスタンド３０に装着して立てた状態で設置することが行われている。図６に示す態様では、リアパネル３が正面に位置し、上面７が右側に位置し、底板９が左側に位置し、右側面４が下側に位置し、左側面５が上側に位置している（以下、この態様を第１の装着態様という）。
【００３８】
ここで、電子装置１の形状に注目する。図４（Ａ）及び図６（Ａ）に示すように、ケース２の右側面４及び左側面５は、上面７に垂直な方向に対して角度θだけ内側に向け傾いて形成されている（この角度を傾斜角θという）。この傾斜角θは、ケース２を金型成形する際に型抜きを確実かつ容易に行うために設けられている。具体的な傾斜角θの角度は、ケース２の形状や使用する樹脂材料等により適宜設定されるが、本実施形態ではθ=３°とされている。
【００３９】
図８及び図９は、スタンド３０を拡大して示す図である。図８はスタンド３０の斜視図であり、図９はスタンド３０の正面図である。スタンド３０は樹脂成形品であり、ベース３１、支持部３２Ａ，３２Ｂ、第１の装着面３３Ａ、第２の装着面３３Ｂ、リブ３４Ａ，３４Ｂ等を一体的に形成した構成とされている。
【００４０】
ベース３１は、電子装置１を支持した際に電子装置１が転倒しない安定性を確保しうる面積を有している。ベース３１の背面には、ベース３１を補強するための外周リブ３８及び補強リブ３９が形成されている。また、ベース３１の四隅部には、滑り止めとして機能するゴム足３６（一点鎖線で示す）が配設されている。
【００４１】
ベース３１のゴム足３６の配設位置には、ゴム足用リブ３７が形成されている。このゴム足用リブ３７は、外周リブ３８に対して略垂直となるよう接続されている（接続位置を図８（Ｂ）に矢印Ｂで示す）。このようにゴム足用リブ３７を外周リブ３８に接続させることにより、接続位置Ｂにおける肉厚を薄くすることができる。
【００４２】
一般に、リブの接続位置における肉厚が厚くなると、樹脂成形の後において成形品の表面にてかりや窪みが発生することがある。しかしながら、本実施形態のような接続形態を取ることにより、接続位置Ｂの肉厚を薄くすることができ、スタンド３０の形成後にベース３１の四隅位置の表面にてかりや窪みが発生することを抑制することができる。
【００４３】
一対の支持部３２Ａ，３２Ｂは、その間で電子装置１を支持しうる離間距離でベース３１に立設されている。この支持部３２Ａ，３２Ｂの内壁には、上下に延在する複数のリブ３４Ａ，３４Ｂが形成されている。
【００４４】
このリブ３４Ａ，３４Ｂは、後述するように傾斜して支持される電子装置１と係合することにより電子装置１を支持する。この際、複数のリブ３４Ａ，３４Ｂの形成位置が離間しているため、電子装置１の外面に若干の凹凸があっても、ガタツキなく電子装置１を支持することができる。
【００４５】
ここで、一対の支持部３２Ａ，３２Ｂ間に位置する底面の形状に注目する。図９に拡大して示すように、一対の支持部３２Ａ，３２Ｂ間に位置する底面は、第１の装着面３３Ａと第２の装着面３３Ｂとにより構成されている。
【００４６】
この第１の装着面３３Ａは、図中右端部から中央位置に向けて上昇する傾斜面とされている。また第２の装着面３３Ｂは、図中左端部から中央位置に向けて上昇する傾斜面とされている。従って、第１の装着面３３Ａと第２の装着面３３Ｂは、正面視で山形の形状を呈している。また、第１の装着面３３Ａの傾斜角及び第２の装着面３３Ｂの傾斜角は、いずれも前記した電子装置１の右側面４及び左側面５の傾斜角θと同じ角度に設定されている。
【００４７】
図１０（Ａ）は、電子装置１がスタンド３０に第１の装着態様により装着された状態の、特に第１及び第２の装着面３３Ａ，３３Ｂの近傍を拡大して示す図である。同図に示すように、第１の装着面３３Ａ及び第２の装着面３３Ｂは、中央位置を頂点とする山形形状となっている。このため、傾斜角θの右側面４を有する電子装置１は、右側面４が第２の装着面３３Ｂと当接することにより、スタンド３０に略垂直の姿勢で装着される。
【００４８】
この第１の装着態様による装着では、第１の装着面３３Ａと右側面４は離間した状態となる。しかしながら、右側面４は第２の装着面３３Ｂと当接し、また第２の装着面３３Ｂと右側面４の傾斜により、電子装置１には図中矢印Ｇ１で示す方向に力が作用する。よって、電子装置１は支持部３２Ｂに倒れ掛かるような状態で支持される。よって、一対の支持部３２Ａ，３２Ｂ間の距離の半分の長さの第２の装着面３３Ｂのみに右側面４が当接する構成であっても、電子装置１はガタツキなくスタンド３０に支持される。
【００４９】
また、電子装置１の底板９は、四隅位置近傍にゴム足１３が配設される。このゴム足１３は、電子装置１を平面的に設置したときに設置面と底板９を離間させると共に、滑り止めとして機能するものである。このゴム足１３は、電子装置１をスタンド３０に装着したした際、支持部３２Ａ，３２Ｂの側面３５Ａ，３５Ｂと係合するよう構成されている。図１０（Ａ）に示す第１の装着態様においては、ゴム足１３は支持部３２Ｂの側面３５Ｂと係合している。
【００５０】
このように、ゴム足１３が支持部３２Ａ，３２Ｂの側面３５Ａ，３５Ｂと係合すると係合することにより、電子装置１がスタンド３０に装着された際、電子装置１がスタンド３０に対して図６（Ｂ）に矢印Ｘで示す方向の移動が規制される。これにより、例えば電子装置１に配線等を接続し、この配線に不測の引っ張り力等が作用しても、電子装置１がスタンド３０から離脱することを防止できる。
【００５１】
図７は、電子装置１のスタンド３０に対する第２の装着態様を示している。第２の装着態様では、リアパネル３が正面に位置し、上面７が左側に位置し、底板９が右側に位置し、右側面４が上側に位置し、左側面５が下側に位置している。
【００５２】
図１０（Ｂ）は、電子装置１がスタンド３０に第２の装着態様により装着された状態の、特に第１及び第２の装着面３３Ａ，３３Ｂの近傍を拡大して示す図である。第２の装着態様では、電子装置１は左側面５が第１の装着面３３Ａと当接することにより、スタンド３０に略垂直の姿勢で装着される。
【００５３】
この第２の装着態様による装着では、第２の装着面３３Ｂと左側面５は離間した状態となる。しかしながら、左側面５は第１の装着面３３Ａと当接し、また第１の装着面３３Ａと左側面５の傾斜により、電子装置１には図中矢印Ｇ２で示す方向に力が作用する。よって、電子装置１は支持部３２Ａに倒れ掛かるような状態で支持される。よって第２の装着態様においても、電子装置１はガタツキなくスタンド３０に支持される。
【００５４】
図１１は、電子装置１のスタンド３０に対する第３の装着態様を示している。第３の装着態様では、リアパネル３が背面に位置し、上面７が左側に位置し、底板９が右側に位置し、右側面４が下側に位置し、左側面５が上側に位置している。
【００５５】
この第３の装着態様による装着では、第２の装着面３３Ｂと右側面４は離間した状態となるが、右側面４は第１の装着面３３Ａと当接する。また、電子装置１には図１１（Ａ）中矢印Ｇ２で示す方向に力が作用するため、電子装置１は支持部３２Ａに倒れ掛かるような状態で支持される。よって第３の装着態様においても、電子装置１はガタツキなくスタンド３０に支持される。
【００５６】
図１２は、電子装置１のスタンド３０に対する第４の装着態様を示している。第４の装着態様では、リアパネル３が背面に位置し、上面７が右側に位置し、底板９が左側に位置し、右側面４が上側に位置し、左側面５が下側に位置している。
【００５７】
この第４の装着態様による装着では、第１の装着面３３Ａと左側面５は離間した状態となるが、左側面５は第２の装着面３３Ｂと当接する。また、電子装置１には図１２（Ａ）中矢印Ｇ１で示す方向に力が作用するため、電子装置１は支持部３２Ｂに倒れ掛かるような状態で支持される。よって第４の装着態様においても、電子装置１はガタツキなくスタンド３０に支持される。
【００５８】
上記のように、電子装置１をスタンド３０に装着する態様としては、第１〜第４の装着態様がある。本実施形態の構成とすることにより、いずれの装着態様においても電子装置１をスタンド３０に確実に装着し支持することが可能となり、よって電子装置１の設置の自由度を高めることができる。
【００５９】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【符号の説明】
【００６０】
１  電子装置
２  ケース
３  リアパネル
４  右側面
５  左側面
６  背面
７  上面
９  底板
１０  開口部
１１  軸受け部
１２  係合凸部
１３，３６  ゴム足
１４  突状部
２０  蓋体
２１  本体部
２２  軸部
２３  係合部
２４  係合凹部
２５  案内溝
２６  突出部
２７  傾斜面
３０  スタンド
３１  ベース
３２Ａ，３２Ｂ  支持部
３３Ａ  第１の装着面
３３Ｂ  第２の装着面
３４Ａ，３４Ｂ  リブ
３５Ａ，３５Ｂ  側面
３７  ゴム足用リブ
３８  外周リブ
【図１】
2011002899.tif 000003
【図２】
2011002899.tif 000004
【図３】
2011002899.tif 000005
【図４】
2011002899.tif 000006
【図５】
2011002899.tif 000007
【図６】
2011002899.tif 000008
【図７】
2011002899.tif 000009
【図８】
2011002899.tif 000010
【図９】
2011002899.tif 000011
【図１０】
2011002899.tif 000012
【図１１】
2011002899.tif 000013
【図１２】
2011002899.tif 000014